(57)【要約】      （修正有）【課題】２次元表現物、例えば、絵、キャラクター、文字、図形、記号、写真等が鏡面に再現された曲面を有するミラーとその製造方法を提供する。【解決手段】２次元表現物が鏡面に再現された曲面を有するミラー１は、表面と裏面とを有する鏡面基材が曲面状に成形され、該裏面に蒸着材料が蒸着されてなる曲面を有するミラーにおいて、前記鏡面基材の裏面に、２次元表現物１０のデジタルデータに基づいて該２次元表現物をレーザー加工により切削することにより、前記２次元表現物が鏡面２に再現される。【選択図】図１
2020127654.tif 000002
【特許請求の範囲】
【請求項１】
表面と裏面とを有する鏡面基材が曲面状に成形され、該裏面に蒸着材料が蒸着されてなる曲面を有するミラーにおいて、
前記鏡面基材の裏面に、２次元表現物のデジタルデータに基づいて該２次元表現物をレーザー加工により切削することにより、前記２次元表現物が鏡面に再現されたことを特徴とする曲面を有するミラー。
【請求項２】
前記レーザー加工による切削において、
前記２次元表現物のデジタルデータを改変させることにより、前記鏡面基材の裏面に形成された該２次元表現物の濃淡を調整した請求項１に記載の曲面を有するミラー。
【請求項３】
表面と裏面を有する鏡面基材が曲面状に成形され、該裏面に蒸着材料が蒸着されてなる曲面を有するミラーにおいて、
前記鏡面基材の裏面に、２次元表現物のデジタルデータに基づいて該２次元表現物を印刷することにより、前記２次元表現物が鏡面に再現されたこと特徴とする曲面を有するミラー。
【請求項４】
前記印刷は、ＵＶ印刷又はシルクスクリーン印刷であることを特徴とする、請求項３に記載の曲面を有するミラー。
【請求項５】
前記鏡面基材は、無色透明基材、有色透明基材、無色半透明基材、有色半透明基材、無色不透明基材、若しくは有色不透明基材、または、これらの２種以上が積層された基材である、請求項１から請求項４のいずれか１項に記載の曲面を有するミラー。
【請求項６】
前記２次元表現物は、絵、キャラクター、写真、文字、図形、記号を含む、請求項１から請求項５のいずれか１項に記載の曲面を有するミラー。
【請求項７】
前記曲面を有するミラーは道路反射鏡であることを特徴とする、請求項１から請求項６のいずれか１項に記載の曲面を有するミラー。
【請求項８】
（１）表面と裏面を有する鏡面基材を準備するステップと、
（２）デジタルデータに基づいて、レーザー加工による切削を行うレーザー加工装置を準備するステップと、
（３）２次元表現物のデジタルデータを準備するステップと、
（４）前記レーザー加工装置が、前記２次元表現物のデジタルデータに基づいて、前記鏡面基材の裏面にレーザー加工による切削を行うステップと、
（５）前記鏡面基材を表面が凸面形状又は凹面形状となるように曲面状に成形するステップと、
（６）前記鏡面基材の裏面に蒸着材料を蒸着するステップと、
を含む、２次元表現物が鏡面に再現された曲面を有するミラーの製造方法。
【請求項９】
（３）前記２次元表現物のデジタルデータを準備するステップは、
（３−１）前記２次元表現物のデジタルデータを改変するコンピュータを準備するステップと、
（３−２）前記コンピュータが、前記２次元表現物のデジタルデータを改変するステップと、を含み、
（４）前記レーザー加工装置がレーザー加工による切削を行うステップは、
（４−１）前記コンピュータが改変した前記２次元表現物のデジタルデータに基づいて、前記鏡面基材の裏面に、レーザー加工による切削を行うステップと、
を含む、請求項８に記載の２次元表現物が鏡面に再現された曲面を有するミラーの製造方法。
【請求項１０】
（１）表面と裏面を有する鏡面基材を準備するステップと、
（２）デジタルデータに基づいて、印刷を行う印刷装置を準備するステップと、
（３）前記２次元表現物のデジタルデータを準備するステップと、
（４）前記印刷装置が、前記２次元表現物のデジタルデータに基づいて、前記鏡面基材の裏面に印刷を行うステップと、
（５）前記鏡面基材を表面が凸面形状又は凹面形状となるように曲面状に成形するステップと、
（６）前記鏡面基材の裏面に蒸着材料を蒸着するステップと、
を含む、２次元表現物が鏡面に再現された曲面を有するミラーの製造方法。
【発明の詳細な説明】
【技術分野】
【０００１】
本発明は、２次元表現物、例えば、絵、キャラクター、文字、図形、記号、写真等が鏡面に再現された曲面を有するミラーとその製造方法に関する。
【背景技術】
【０００２】
従来、鏡を嵌め込んだ枠の背面に２次元表現物、例えば、絵、キャラクター、文字、図形、記号等のデザインを付すことは数多く行われており、また、鏡を嵌め込んだ枠を動物や植物等の模様に形成することも数多く行われている。
【０００３】
また、鏡の鏡面にデザインを付することも行われており、特許文献１においては、彫刻加工した鏡の裏側に化粧シートを貼付した反射板を配置することで、彫刻加工部と化粧シートの間に隙間ができ、これが立体感のある化粧シートの効果をより高めるとともに、該シートの反射光と種々の散乱光と色の変化で色調が変わるファンタスティクな鏡が開示されている。
【０００４】
また、特許文献２においては、透明板と反射板からなる鏡において、透明板の裏面であって写像の邪魔にならない隅、縁に表面から透視できる模様を付したことを特徴とする図画鏡が開示されている。
【０００５】
鏡には様々な種類があるが、曲面を有するミラー（鏡）として代表的なものに道路反射鏡が挙げられる。道路反射鏡は、道路の交差点や見通しの悪い曲がり角等に設置され、交差点等に侵入しようとする車両等を像として反射し、他の車両の運転者等が侵入車の存在を認識できるようにするものである。特許文献３には、道路反射鏡の存在に気付かずに事故が発生することを防止するため、道路反射鏡にキャラクター等のデザインを描いたデザイン表示板を設けた道路反射鏡が提案されている。
【０００６】
【特許文献１】特開平１０−１２７４４９号公報
【特許文献２】実用新案登録第３１４４７２３号公報
【特許文献３】実用新案登録第３１６５８８７号公報
【発明の概要】
【発明が解決しようとする課題】
【０００７】
特許文献１及び２の発明は、鏡面にデザインを形成したミラーであるが、いずれも平面ミラーを対象としたもので面白みに欠け、使用用途も姿見用鏡、洗面化粧用鏡等の屋内のみで使用することを想定したものである。また、屋外で使用するミラーとして、特許文献３の発明のように道路反射鏡にデザイン表示板を設けたものはあるが、鏡面にデザインを形成したものは記載されていない。
【０００８】
一方、ＳＮＳの発達に伴い、写真を撮ってＳＮＳ（ｓｏｃｉａｌ  ｎｅｔｗｏｒｋｉｎｇ  ｓｅｒｖｉｃｅ）に投稿したり、商品の販売やサービスの提供においてＳＮＳを宣伝方法として利用したり、観光地においてはＳＮＳを利用して観光客の集客を図ることが行われているが、道路反射鏡としての用途だけではなく、看板、表示板、案内板、バナースタンド、パネル、オブジェ等としても利用することできるミラーがあれば、ＳＮＳを利用した情報発信に用いることができる。
【０００９】
そこで、本発明は、２次元表現物、例えば、絵、キャラクター、文字、図形、記号、写真等が鏡面に再現された曲面を有するミラー及びその製造方法を提供することを目的とする。
【００１０】
また、本発明は、曲面を有するミラーの代表用途である道路反射鏡の用途に捉われず、また屋内外を問わず、看板、表示板、案内板、バナースタンド、パネル、オブジェ等としても利用することのできる曲面を有するミラーを提供することを目的とする。
【課題を解決するための手段】
【００１１】
本発明に係る曲面を有するミラーは、表面と裏面とを有する鏡面基材が曲面状に成形され、該裏面に蒸着材料が蒸着されてなる曲面を有するミラーにおいて、前記鏡面基材の裏面に、２次元表現物のデジタルデータに基づいて該２次元表現物をレーザー加工により切削することにより、前記２次元表現物が鏡面に再現されたことを特徴とする。
【００１２】
本明細書において、「鏡面」は、鏡面基材の裏面に金属等の蒸着材料が蒸着されて形成される「鏡体」の表面をいう。鏡面は、鏡体の周囲に存する人物、風景等（以下、纏めて「被反射対象物」ともいう）から到来する光を反射して、その被反射対象物を鏡像として当該鏡面に映し出すことができる。また、本明細書において、「ミラー」は、最小限「鏡面」が形成された「鏡体」をいうが、鏡面基材の裏面に金属等の蒸着材料を蒸着して「鏡面」を形成する以外にも、様々な加工を施した鏡体を包括して「ミラー」と呼ぶこととする。
【００１３】
本発明に係る曲面を有するミラーは、前記レーザー加工による切削において、前記２次元表現物のデジタルデータを改変させることにより、前記鏡面基材の裏面に形成された該２次元表現物の濃淡を調整することができる。
【００１４】
本発明に係る曲面を有するミラーは、表面と裏面を有する鏡面基材が曲面状に成形され、該裏面に蒸着材料が蒸着されてなる曲面を有するミラーにおいて、前記鏡面基材の裏面に、２次元表現物のデジタルデータに基づいて該２次元表現物を印刷することにより、前記２次元表現物が鏡面に再現されたこと特徴とする。
【００１５】
本発明に係る曲面を有するミラーにおいて、前記印刷は、ＵＶ印刷又はシルクスクリーン印刷であることを特徴とする。
【００１６】
本発明に係る曲面を有するミラーにおいて、前記鏡面基材は、無色透明基材、有色透明基材、無色半透明基材、有色半透明基材、無色不透明基材、若しくは有色不透明基材、または、これらの２種以上が積層された基材であってよい。
【００１７】
本発明に係る曲面を有するミラーにおいて、前記２次元表現物は、絵、キャラクター、写真、文字、図形、記号を含んでよい。
【００１８】
本発明に係る曲面を有するミラーにおいて、前記曲面を有するミラーは道路反射鏡であってよい。
【００１９】
本発明に係る２次元表現物が鏡面に再現された曲面を有するミラーの製造方法は、
（１）表面と裏面を有する鏡面基材を準備するステップと、
（２）デジタルデータに基づいて、レーザー加工による切削を行うレーザー加工装置を準備するステップと、
（３）２次元表現物のデジタルデータを準備するステップと、
（４）前記レーザー加工装置が、前記２次元表現物のデジタルデータに基づいて、前記鏡面基材の裏面にレーザー加工による切削を行うステップと、
（５）前記鏡面基材を表面が凸面形状又は凹面形状となるように曲面状に成形するステップと、
（６）前記鏡面基材の裏面に蒸着材料を蒸着するステップと、
を含む。
【００２０】
本発明に係る２次元表現物が鏡面に再現された曲面を有するミラーの製造方法は、
（３）前記２次元表現物のデジタルデータを準備するステップは、
（３−１）前記２次元表現物のデジタルデータを改変するコンピュータを準備するステップと、
（３−２）前記コンピュータが、前記２次元表現物のデジタルデータを改変するステップと、を含み、
（４）前記レーザー加工装置がレーザー加工による切削を行うステップは、
（４−１）前記コンピュータが改変した前記２次元表現物のデジタルデータに基づいて、前記鏡面基材の裏面に、レーザー加工による切削を行うステップと、
を含んでもよい。
【００２１】
本発明に係る２次元表現物が鏡面に再現された曲面を有するミラーの製造方法は、
（１）表面と裏面を有する鏡面基材を準備するステップと、
（２）デジタルデータに基づいて、印刷を行う印刷装置を準備するステップと、
（３）２次元表現物のデジタルデータを準備するステップと、
（４）前記印刷装置が、前記２次元表現物のデジタルデータに基づいて、前記鏡面基材の裏面に印刷を行うステップと、
（５）前記鏡面基材を表面が凸面形状又は凹面形状となるように曲面状に成形するステップと、
（６）前記鏡面基材の裏面に蒸着材料を蒸着するステップと、
を含む。
【発明の効果】
【００２２】
本発明に係る２次元表現物が鏡面に再現された曲面を有するミラーは、２次元表現物、例えば、絵、キャラクター、文字、図形、記号、写真等が鏡面に再現されている。そのため、本発明の曲面を有するミラーを、屋外で道路反射鏡として設置したり、写真撮影スポットに設置された看板、表示板、案内板、バナースタンド、パネル、オブジェ等に組み込むことで、２次元表現物が鏡面に再現されたミラーと一緒にその周囲の人物、風景等（以下、「被反射対象物」）を含めて写真を撮ることができる。あるいは、ミラーに映り込んだ周囲の人物、風景等（被反射対象物）の鏡像を、ミラーの鏡面に再現された２次元表現物とともに写真に撮影することができる。本発明に係る２次元表現物が鏡面に再現された曲面を有するミラーは、鏡面を曲面としたので、ミラーの周囲の被反射対象物を広角に鏡像として映すことができるため、写真を写す角度により多様な写真を撮影することができる。
【００２３】
また、本発明に係る２次元表現物が鏡面に再現された曲面を有するミラーは、２次元表現物のデジタルデータに基づいて鏡面基材の裏面に行うレーザー加工、切削加工、印刷、染色等により２次元表現物を再現することができる。そのため、オーダーメイドによる一品製作や小ロットでの製作も可能であり、結婚式、記念式典、御祝等における鏡付き記念品として利用することもできる。
【００２４】
本発明に係る２次元表現物が鏡面に再現された曲面を有するミラーは、上記のように、２次元表現物のデジタルデータに基づいて鏡面基材の裏面に行うレーザー加工による切削により、当該２次元表現物を鏡面に再現することができるが、当該２次元表現物のデジタルデータを、コンピュータを用いて変更、削除したり、輪郭線の太さを変更する等の改変を行うことができる。そして、このようなデジタルデータの改変により、鏡面基材の裏面に形成された２次元表現物の濃淡を調整することができる。このように、コンピュータにより改変した２次元表現物のデジタルデータに基づいて、鏡面基材の裏面にレーザー加工による切削を行うことで、鏡面に２次元表現物の濃淡を所望の通り再現し、遠くから眺めた時に２次元表現物が明確に再現される本発明の曲面を有するミラーを形成することができる。
【００２５】
以上、上述した本発明に係る２次元表現物が鏡面に再現された曲面を有するミラーを使用すると、鏡面を表面方向に凸曲面とすることにより広角に被反射対象物を鏡像として映すことができる。そのため、これを屋内で用いると、部屋全体を見渡すことが可能なミラーとすることができる。特に、ショッピングセンターや店舗、マンション等に設置される防犯用のミラーは、物々しい印象を与えることになるが、鏡面に絵、キャラクター、文字、図形、記号、写真等の２次元表現物を再現することで、使用者に穏やかな印象を抱かせることができる。また、屋外で用いると、ミラーの鏡面に再現された２次元表現物とともに広範囲の風景を鏡面に映し出すことができ、例えば被写体となる人物等を、景勝地などの全景及びシンボル的なデザイン（２次元表現物）と共に写真に撮影することができる。
【図面の簡単な説明】
【００２６】
【図１】本発明に係る２次元表現物が鏡面に再現された曲面を有するミラーの正面図。
【図２】（ａ）鏡面基材の側面図、（ｂ）レーザー加工による切削により２次元表現物が再現された鏡面基材の側面図、（ｃ）印刷により２次元表現物が再現された鏡面基材の側面図。
【図３】（ａ）レーザー加工による切削により鏡面に２次元表現物が再現された曲面を有するミラーの製造工程図、（ｂ）印刷により鏡面に２次元表現物が再現された曲面を有するミラーの製造工程図。
【図４】（ａ）鏡面に２次元表現物が再現された道路反射鏡の正面図、（ｂ）鏡面に２次元表現物が再現された道路反射鏡の側面図。
【図５】本発明に係る実施例におけるアクリル原板の写真図。
【図６】本発明に係る実施例における（ａ）レーザー加工を行ったアクリル板の写真図、（ｂ）ＵＶ印刷加工を行ったアクリル板の写真図。
【図７】本発明に係る実施例における（ａ）レーザー加工の後、真空成形により凸面形状に成形されたアクリル板を示す写真図、（ｂ）ＵＶ印刷加工の後、真空成形により凸面形状に成形されたアクリル板を示す写真図。
【図８】本発明に係る実施例における（ａ）真空成形の後、アルミニウム蒸着を行い、レーザー加工により２次元表現物が鏡面に再現された曲面を有するミラーを示す写真図、（ｂ）真空成形の後、アルミニウム蒸着を行い、ＵＶ印刷により２次元表現物が鏡面に再現された曲面を有するミラーを示す写真図。
【図９】本発明に係る実施例における（ａ）アルミニウム蒸着の後、塗装及びトリミングを行い、レーザー加工により２次元表現物が鏡面に再現された曲面を有するミラーを示す写真図、（ｂ）アルミニウム蒸着の後、塗装及びトリミングを行い、ＵＶ印刷により２次元表現物が鏡面に再現された曲面を有するミラーを示す写真図。
【図１０】本発明に係る実施例における（ａ）レーザー加工により２次元表現物が鏡面に再現された曲面を有するミラーを示す正面写真図、（ｂ）ＵＶ印刷により２次元表現物が鏡面に再現された曲面を有するミラーを示す正面写真図。
【図１１】本発明に係る実施例における（ａ）レーザー加工により２次元表現物が鏡面に再現された曲面を有するミラーを示す斜視写真図、（ｂ）ＵＶ印刷により２次元表現物が鏡面に再現された曲面を有するミラーを示す斜視写真図。
【発明を実施するための形態】
【００２７】
以下、図面を参照しながら本発明に係る２次元表現物が鏡面に再現された曲面を有するミラーの実施形態及び実施例について説明する。なお、以下各図面を通して同一の構成要素には同一の符号を使用するものとする。
（１）２次元表現物が鏡面に再現された曲面を有するミラー
【００２８】
［曲面を有するミラー］
本発明に係る２次元表現物１０が鏡面２に再現された曲面を有するミラー１は、図４（ｂ）や図１１（ａ）、（ｂ）のように、表面１５と裏面１６を有する鏡面基材５の全部または一部が曲面状に成形され、裏面１６に金属等の蒸着材料６が蒸着されて形成された鏡体３が曲面を有するミラー１である。本明細書において鏡面２は、上記のように鏡面基材５の裏面１６に金属等の蒸着材料６が蒸着されて形成される鏡体３の表面であり、その表面側の周囲に存する人物、風景等（被反射対象物）から到来する光をその表面で反射して、その被反射対象物を鏡像として当該表面に映し出すことができる。そして、本発明の曲面を有するミラー１は、所定の２次元表現物１０のデジタルデータに基づいて、鏡面基材５の裏面１６にレーザー加工による切削１１を加え、あるいは印刷１２を行うことにより、上記２次元表現物１０が鏡面２に再現されると共に、この鏡面２が曲面に加工されたことを特徴とするミラー１である。
【００２９】
本発明において、表面１５と裏面１６を有する鏡面基材５としては、合成樹脂を使用することが好ましい。合成樹脂としては、アクリル樹脂、ポリカーボネート、ポリエチレンテレフタレート、ポリエチレン、ポリプロピレン、ポリアミド、ポリ塩化ビニル、エポキシ樹脂、ウレタン樹脂、フェノール樹脂等の合成樹脂が挙げられるが、これらに限定されることなく合成樹脂であればいずれも使用することができる。これらの合成樹脂の中でもアクリル樹脂又はポリカーボネートが好ましく、アクリル樹脂を用いるのがさらに好ましい。アクリル樹脂は優れた反射率、耐衝撃性、耐候性を有し、曲げ加工において優れているためである。
【００３０】
また、本発明に使用することのできる鏡面基材５としては、無色透明基材、有色透明基材、無色半透明基材、有色半透明基材、無色不透明基材、有色不透明基材を使用することができるが、これらは単独で使用することもできるし、２種以上が積層された状態のものを使用することもできる。例えば、レーザー加工による切削１１により２次元表現物１０を鏡面２に再現する場合においては、無色透明基材と有色透明基材が積層されたものを使用することで、レーザー加工により切削１１を行った箇所の色調を変化させたミラー１とすることができる。また、上記２種以上が混在した鏡面基材５を用いることもできる。例えば、無色透明部と有色透明部が混在した鏡面基材５を用いることもできる。
【００３１】
表面１５と裏面１６を有する鏡面基材５の形状は、平板状のものが成形し易く好ましい。鏡面基材５の厚みには特に制限がなく、ミラー１を使用する製品に応じて最適な厚みを決めればよい。例えば、道路反射鏡においては、０．１ｍｍ〜５０ｍｍが好ましい。鏡面基材５の大きさは特に制限なく、ミラー１を使用する製品に応じて適宜選択すればよい。
【００３２】
平板状の鏡面基材５としては、アクリル板、ポリカーボネート板等が挙げられるが、これらに限定されるものではない。また、アクリル板においては、製造方法の相違によりキャスト板と押し出し板がありいずれも使用することができるが、本発明においてはミラー１に成形するため押し出し板を用いるのが好ましい。
【００３３】
上記鏡面基材５は、熱成形により表面１５が凸面形状又は凹面形状となる曲面状に成形するのがよい。例えば、熱により加熱軟化させた後、真空成形等の成形により鏡面基材５の表面１５が凸面形状又は凹面形状となる曲面状に成形することができる。凸面形状又は凹面形状となる曲面状に成形された鏡面基材５の曲率半径は、ミラー１のサイズ等に応じて適宜選択すればよい。
【００３４】
成形により表面１５が凸面形状又は凹面形状となる曲面状に成形された鏡面基材５は、鏡体３として必要な部分を残して、余分な部分は切断等によりカットするのがよい。余分な部分のカットは、曲面状に成形した直後に行うこともでき、また、その後の蒸着・塗装等の加工を行った後で行うこともできる。
【００３５】
曲面状に成形された鏡面基材５は、鏡面基材５の裏面１６に金属等の蒸着材料６を蒸着することにより、鏡面基材５が鏡体３となりミラー１が形成される。
【００３６】
蒸着の方法としては、真空蒸着法、スパッタリング法、イオンプレーティング法、化学気相蒸着法（Ｃｈｅｍｉｃａｌ  Ｖａｐｏｒ  Ｄｅｐｏｓｉｔｉｏｎ：ＣＶＤ）法等が挙げられ、公知の方法を使用することができるが、本発明においてはこれらの中でも真空蒸着法により行うのが好ましい。真空蒸着法においては、鏡面基材５と蒸着材料６を真空チャンバー内に置き、蒸着材料６を加熱して蒸発若しくは昇華させることによって、蒸着を行うことができる。このとき、鏡面基材５の表面１５は保護用のフィルム（マスキングフィルム）で貼付しておくことで、表面１５への蒸着材料６の蒸着を防ぐことができる。
【００３７】
なお、蒸着において、鏡面基材５の表面１５だけではなく裏面１６の一部にも保護用のフィルム（マスキングフィルム）を貼付することによって、保護用のフィルムを貼付したところは蒸着が行われないため、鏡面基材５の一部のみを鏡面２とすることで、鏡面基材５全体ではなく一部分のみをミラー１とすることもできる。
【００３８】
蒸着材料６としては金属が好ましく、蒸着に用いる金属は特に限定されることなく公知のものを用いることができる。例えば、アルミニウム（Ａｌ）、鉄（Ｆｅ）、スズ（Ｓｎ）、マンガン（Ｍｎ）、マグネシウム（Ｍｇ）、金（Ａｕ）、銀（Ａｇ）、プラチナ（Ｐｔ）、クロム（Ｃｒ）、亜鉛（Ｚｎ）、ニッケル（Ｎｉ）等が挙げられるが、これらの中でもアルミニウム（Ａｌ）が特に好ましい。また、蒸着材料６の形態は特に制限されず、粉末状、粒状、線状、板状等のものを用いることができる。
【００３９】
蒸着された蒸着材料６を保護するため、蒸着材料６が蒸着された面は塗料７による塗装がなされているのが好ましい。塗料７の種類は特に制限されず、従来公知のものを利用することができ、刷毛、コテ、ローラー、スプレー等の慣用されている一般の塗布方法で塗布することができる。
【００４０】
本発明に係る２次元表現物１０が鏡面２に再現された曲面を有するミラー１において、曲面を有するミラー１の形状は特に制限なく、凸面形状又は凹面形状となる曲面を有していればよい。ミラー１の形状としては、円形、楕円形、正方形、長方形、多角形等が挙げられるがこれらに限らず、レーザーによる切断加工により、うさぎ、くま、犬、猫等の動物、バラ、さくら、朝顔、ひまわり等の植物、星、建築物等の図形、アニメのキャラクターや自治体のマスコットキャラクター、文字等の形状に切り抜いたものでもよい。
【００４１】
［２次元表現物が鏡面に再現された曲面を有するミラー］
本発明に係る２次元表現物１０が鏡面２に再現された曲面を有するミラー１は、鏡面基材５の裏面１６に、２次元表現物１０のデジタルデータに基づいて２次元表現物１０をレーザー加工、切削加工、印刷、染色等の加工を行うことにより、鏡面２に２次元表現物１０が再現されている。
【００４２】
本発明に係る２次元表現物１０が鏡面２に再現された曲面を有するミラー１において、２次元表現物１０としては、平面状の絵、キャラクター、文字、図形、記号、写真等が挙げられるがこれらに限定されるものではない。使用する２次元表現物１０は、絵、キャラクター、文字、図形、記号、写真等の一種であっても、これらの２種以上の組み合わせであってもよい。また、使用する２次元表現物１０は、モノクロ（グレースケール）であってもカラーであってもよく、モノクロとカラーが混在したものであってもよい。
【００４３】
本発明において２次元表現物１０のデジタルデータとしては、２次元表現物１０のデジタル画像データを用いるのが好ましい。２次元表現物１０、例えば絵、キャラクター、文字、図形、記号、写真等のデジタル画像データに基づいて、レーザー加工、切削加工、印刷、染色等の加工を行うことにより曲面を有するミラー１の鏡面２に２次元表現物１０を再現するのが好ましい。
【００４４】
デジタル画像データのファイル形式は、例えばＪＰＥＧ、ＴＩＦＦ、ＢＭＰ、ＧＩＦ、ＰＮＧが挙げられるがこれらに限定されることはなく、グラフィックソフトのファイル形式であってもよい。グラフィックソフトには、画像データの作成・編集を行うドローソフト、ペイントソフト、画像編集ソフト等が挙げられる。
【００４５】
曲面を有するミラー１の鏡面２に２次元表現物１０を再現する加工方法としては、レーザー加工、切削加工、印刷、染色等が挙げられ、曲面を有するミラー１の鏡面２に２次元表現物１０を再現出来る方法であれば特に制限されないが、好ましくはレーザー加工による切削１１若しくは印刷１２により２次元表現物１０を鏡面２に再現するのがよい。
【００４６】
レーザー加工、切削加工、印刷、染色等の加工による２次元表現物１０の再現は、鏡面基材５を曲面状に成形する前に行うのが好ましい。平板状の状態の方が加工しやすいためである。
【００４７】
本発明に係る２次元表現物１０が鏡面２に再現された曲面を有するミラー１において、２次元表現物１０は鏡面基材５の裏面１６に再現することが好ましい。２次元表現物１０を鏡面基材５の裏面１６に再現した後、蒸着材料６による蒸着や塗料７による塗装を行うことにより、レーザー加工、印刷等を行った裏面１６が蒸着材料６による蒸着及び塗料７による塗装で保護されるため、屋外使用の際の雨、風、車の排気ガス、紫外線等による劣化を避けることができるためである。また、鏡面基材５の表面１５に印刷加工を行うと、単にシールを貼付したような状態となるため、見た目が好ましくない。
【００４８】
上記鏡面基材５の裏面１６に２次元表現物１０を形成した後、この鏡面基材５の裏面１６に蒸着材料６による蒸着を行うことで鏡面基材５が鏡体３となり、図１に示すように鏡面２に２次元表現物１０が形成されたミラー１となる。
【００４９】
［レーザー加工により２次元表現物が鏡面に形成された曲面を有するミラー］
本発明に係る２次元表現物１０が鏡面２に再現された曲面を有するミラー１においては、レーザー加工による切削１１により２次元表現物１０を鏡面基材５の裏面１６に形成するのが好ましい。レーザー加工による切削方法としては、例えばレーザーマーキングやレーザー彫刻等が挙げられる。
【００５０】
レーザー加工による切削１１は、公知のレーザー加工装置、例えばレーザー加工機を用いてレーザー光を図２（ａ）のような鏡面基材５の裏面１６に照射することで、図２（ｂ）に示すように鏡面基材５の裏面１６が切削１１されて鏡面基材５に２次元表現物１０が刻印され、２次元表現物１０が鏡面２に再現されることになる。鏡面基材５へのレーザー加工による加工深度は、約０．０１ｍｍ〜５ｍｍの範囲が好ましい。
【００５１】
レーザー加工による切削１１は、２次元表現物１０のデジタルデータに基づいて行う。２次元表現物１０のデジタルデータをレーザー加工装置にセットし、セットした２次元表現物１０のデジタルデータに基づいてレーザー光を鏡面基材５の裏面１６に照射すると、この鏡面基材５の裏面１６が削られて鏡面２に２次元表現物１０が再現される。レーザー加工により鏡面２に再現される２次元表現物１０は、モノクロで再現されることとなる。
【００５２】
レーザー加工による切削１１は、２次元表現物１０のデジタルデータのカラーの濃淡に従い、鏡面基材５の裏面１６に形成される２次元表現物１０にも濃淡が形成されるため、カラーに濃淡のある２次元表現物１０のデジタルデータを用いることにより、鏡面２に再現される２次元表現物１０にも濃淡を形成することができる。
【００５３】
また、２次元表現物１０のデジタルデータは、コンピュータを用いて予め２次元表現物１０のデジタルデータのカラーを変更、削除したり、輪郭線の太さを変更する等の改変をした後、レーザー加工に使用するデジタルデータとするのが好ましい。デジタルデータの改変には、２次元表現物１０が絵、キャラクター、文字、図形、記号の場合は、これらのカラーを変更、削除したり、輪郭線の太さを変更したりすること等が挙げられ、２次元表現物１０が写真の場合には、色調を補正したり、コントラストを変更したりすること等が挙げられる。
【００５４】
また、２次元表現物１０のデジタルデータを改変させることにより、鏡面基材５の裏面１６に形成された２次元表現物１０の濃淡を調整することができる。コンピュータが改変した２次元表現物１０のデジタルデータに基づいて、鏡面基材５の裏面１６にレーザー加工による切削１１を行うことで、鏡面２に２次元表現物１０の濃淡が適切に再現され、遠くから眺めた時に２次元表現物１０が明確に再現される曲面を有するミラー１とすることができる。
【００５５】
［印刷により２次元表現物が鏡面に再現された曲面を有するミラー］
本発明に係る２次元表現物１０が鏡面２に再現された曲面を有するミラー１においては、印刷１２により２次元表現物１０を鏡面２に再現することも好ましい。印刷方法としては、特に限定されるものではなく公知の印刷方法を使用することができる。本発明に使用することのできる印刷方法としては、例えば、オフセット印刷、ＵＶ印刷、箔押し印刷、シルクスクリーン印刷、パット印刷、オンデマンド印刷、グラビア印刷、転写印刷（昇華転写、デジタル転写）、凸版印刷、フレキソ印刷等が挙げられる。これらの印刷方法の中でもＵＶ印刷又はシルクスクリーン印刷好ましく、ＵＶ印刷が特に好ましい。
【００５６】
印刷１２は、公知の印刷装置と専用のインキとを用いて、２次元表現物１０のデジタルデータに基づいて、鏡面基材５の裏面１６にインキで２次元表現物１０を再現することとなる。例えば、ＵＶ印刷は紫外線を照射することで硬化するＵＶインキを使った印刷方法であって、鏡面基材５の裏面１６に印刷されたインキが紫外線照射により硬化して、硬化したインキにより２次元表現物１０が鏡面２に再現されることとなる。従って、図２（ｃ）に示すように、鏡面基材５の裏面１６に印刷１２が行われた部分は、インキが付着した厚みが鏡面基材５の裏面１６に形成され、印刷１２による２次元表現物１０が鏡面２に再現されることになる。
【００５７】
印刷１２においても上記レーザー加工と同様に、コンピュータを用いて予め２次元表現物１０のデジタルデータの改変を行うのが好ましい。
（２）２次元表現物が鏡面に再現された曲面を有するミラーの製造方法
【００５８】
［製造方法］
本発明に係る２次元表現物１０が鏡面２に再現された曲面を有するミラー１の製造方法は、
（１）表面１５と裏面１６を有する鏡面基材５を準備するステップと、
（２）デジタルデータに基づいて、レーザー加工による切削１１を行うレーザー加工装置を準備するステップと、
（３）２次元表現物１０のデジタルデータを準備するステップと、
（４）上記レーザー加工装置が、２次元表現物１０のデジタルデータに基づいて、鏡面基材５の裏面１６にレーザー加工による切削１１を行うステップと、
（５）鏡面基材５を表面１５が凸面形状又は凹面形状となるように曲面状に成形するステップと、
（６）鏡面基材５の裏面１６に蒸着材料６を蒸着するステップと、
を含む。
【００５９】
また、レーザー加工による切削１１を行う本発明に係る２次元表現物１０が鏡面２に再現された曲面を有するミラー１の製造方法は、（６）のステップの後に、
（７）塗料７を塗布するステップ、を含んでいるのが好ましい。
【００６０】
本発明に係る２次元表現物１０が鏡面２に再現された曲面を有するミラー１の製造方法において、２次元表現物１０がレーザー加工により鏡面２に再現された曲面を有するミラー１の製造方法としては、図３（ａ）に示すように鏡面基材５の裏面１６へのレーザー加工による切削１１の後、曲面状に成形した鏡面基材５を、金属等の蒸着材料６により蒸着することで鏡体３を形成し、蒸着面を保護するため塗料７により塗装を行うのがよい。
【００６１】
また、本発明に係る２次元表現物１０が鏡面２に再現された曲面を有するミラー１の製造方法においては、鏡面基材５の表面１５は保護用のフィルム（マスキングフィルム）を貼付しておくことで、蒸着材料６による蒸着を防ぐとともに、鏡面２となる表面１５を汚れ・傷等がつかないように保護しておくのが好ましい。
【００６２】
本発明に係る２次元表現物１０が鏡面２に再現された曲面を有するミラー１の製造方法においては、
（３）２次元表現物１０のデジタルデータを準備するステップは、
（３−１）上記２次元表現物１０のデジタルデータを改変するコンピュータを準備するステップと、
（３−２）上記コンピュータが、２次元表現物１０のデジタルデータを改変するステップと、を含み、
（４）上記レーザー加工装置がレーザー加工による切削１１を行うステップは、
（４−１）上記コンピュータが改変した２次元表現物１０のデジタルデータに基づいて、鏡面基材５の裏面１６に、レーザー加工による切削１１を行うステップと、
を含んでいてもよい。
【００６３】
また、本発明に係る２次元表現物１０が鏡面２に再現された曲面を有するミラー１の製造方法は、
（１）表面１５と裏面１６を有する鏡面基材５を準備するステップと、
（２）デジタルデータに基づいて、印刷１２を行う印刷装置を準備するステップと、
（３）２次元表現物１０のデジタルデータを準備するステップと、
（４）上記印刷装置が、前記２次元表現物１０のデジタルデータに基づいて、前記鏡面基材５の裏面１６に印刷１２を行うステップと
（５）鏡面基材５を表面１５が凸面形状又は凹面形状となるように曲面状に成形するステップと、
（６）鏡面基材５の裏面１６に蒸着材料６を蒸着するステップと、
を含む。
【００６４】
また、印刷１２を行う本発明に係る２次元表現物１０が鏡面２に再現された曲面を有するミラー１の製造方法は、（６）のステップの後に、
（７）塗料７を塗布するステップ、を含んでいるのが好ましい。
【００６５】
本発明に係る２次元表現物１０が鏡面２に再現された曲面を有するミラー１の製造方法において、２次元表現物１０が印刷１２により鏡面２に再現された曲面を有するミラー１の製造方法としては、図３（ｂ）に示すように鏡面基材５の裏面１６への印刷１２の後、曲面状に成形した鏡面基材５を、金属等の蒸着材料６により蒸着することで鏡体３を形成し、蒸着面を保護するため塗料７により塗装を行うのがよい。
（３）２次元表現物が鏡面に再現された道路反射鏡等
【００６６】
［道路反射鏡］
図４に示すように、道路反射鏡２０は鏡面２を前面に設けた枠体２１と支柱２２とから構成されている。図１に示す本発明に係る曲面を有するミラー１の２次元表現物１０が再現された曲面を有する鏡面２を、道路反射鏡２０の鏡面２として用い、枠体２１と支柱２２とを設けることで２次元表現物１０が鏡面２に再現された道路反射鏡２０とすることができる。
［看板等］
【００６７】
また、本発明に係る２次元表現物１０が鏡面２に再現された曲面を有するミラー１は、道路反射鏡２０と同様に、２次元表現物１０が再現された曲面を有する鏡面２を用い、必要に応じて枠体、支柱、地名等の情報を占めす表示部等を設けて、看板、表示板、案内板、バナースタンド、パネル、オブジェ等に用いることができる他、結婚式等の記念品、防犯ミラー等として用いることもできる。
【００６８】
以下、実施例を用いて本発明を詳細に説明するが、本発明はこれらの実施例により何ら制限を受けるものではない。
【実施例１】
【００６９】
本発明に係る実施例においては、図５に示すように表面１５と裏面１６を有する鏡面基材５として無色透明のアクリル板を用いて、レーザー加工により２次元表現物１０が鏡面２に再現された曲面を有するミラー１及びＵＶ印刷により２次元表現物１０が鏡面２に再現された曲面を有するミラー１を製造した。なお、無色透明のアクリル板の表面１５は、マスキングフィルムを貼付することで保護されている。
【００７０】
まず、図６（ａ）及び（ｂ）に示すように、アクリル板の裏面１６にレーザー加工（図６（ａ））及びＵＶ印刷（図６（ｂ））を行った。レーザー加工及びＵＶ印刷においては、同一の２次元表現物１０のデジタルデータを用いた。また、レーザー加工装置及びＵＶ印刷装置は、既存のレーザー加工装置及びＵＶ印刷装置を用いた。
【００７１】
次いで、図７（ａ）及び（ｂ）に示すように、レーザー加工（図６（ａ））及びＵＶ印刷（図６（ｂ））により２次元表現物１０を裏面１６に形成した無色透明のアクリル板を加熱軟化させた後、真空成形により上記アクリル板の表面１５が凸面形状となる曲面状に成形した。図７（ａ）はレーザー加工により２次元表現物１０が形成されたアクリル板を、真空成形により表面１５が凸面形状となる曲面状に成形した状態を、図７（ｂ）はＵＶ印刷により２次元表現物１０が形成されたアクリル板を、真空成形により表面１５が凸面形状となる曲面状に成形した状態を示す。
【００７２】
次いで、図８（ａ）及び（ｂ）に示すように、真空成形により表面１５が凸面形状となる曲面状に成形したアクリル板（図７（ａ）、（ｂ））をアルミニウムにより真空蒸着を行ってミラー１（鏡体３）とした。図８（ａ）はレーザー加工により２次元表現物１０が鏡面２に再現された曲面を有するミラー１、図８（ｂ）はＵＶ印刷により２次元表現物１０が鏡面２に再現された曲面を有するミラー１を示す。
【００７３】
次いで、図９（ａ）及び（ｂ）に示すように、２次元表現物１０が鏡面２に再現されたミラー１においてアルミニウム蒸着面を塗料７による塗装及び余分な部分のトリミングを行うことにより完成品のミラー１とする。図９（ａ）はレーザー加工により２次元表現物１０が鏡面２に再現された曲面を有するミラー１、図９（ｂ）はＵＶ印刷により２次元表現物１０が鏡面２に再現された曲面を有するミラー１を示す。
【００７４】
図１０（ａ）、（ｂ）及び図１１（ａ）、（ｂ）は、表面１５のマスキングフィルムを剥がした状態の完成品のミラー１を示す。図１０（ａ）は、レーザー加工により２次元表現物１０が鏡面２に再現された曲面を有するミラー１の正面写真図を、図１１（ａ）はレーザー加工により２次元表現物１０が鏡面２に再現された曲面を有するミラー１の斜視写真図を示す。また、図１０（ｂ）は、ＵＶ印刷により２次元表現物１０が鏡面２に再現された曲面を有するミラー１の正面写真図を、図１１（ｂ）、はＵＶ印刷により２次元表現物１０が鏡面２に再現された曲面を有するミラー１の斜視写真図を示す。
【００７５】
レーザー加工においては、レーザーによる切削１１により２次元表現物１０のデジタルデータに基づいて２次元表現物１０が鏡面２に再現されている。一方、印刷１２においては、印刷に用いるインキにより２次元表現物１０のデジタルデータに基づいて有色で２次元表現物１０が鏡面２に再現されている。
【００７６】
その他、本発明は、その主旨を逸脱しない範囲で当業者の知識に基づき種々の改良、修正、変更を加えた態様で実施できるものである。
【産業上の利用可能性】
【００７７】
本発明に係る２次元表現物１０が鏡面２に再現された曲面を有するミラー１は、道路反射鏡の他、看板、表示板、案内板、バナースタンド、パネル、オブジェ等の他、結婚式、記念式典、御祝等における鏡付き記念品や防犯ミラーとして利用することができる。
【符号の説明】
【００７８】
１：２次元表現物が鏡面に再現された曲面を有するミラー
２：鏡面
３：鏡体
５：鏡面基材
６：蒸着材料
７：塗料
１０：２次元表現物
１１：切削
１２：印刷
１５：表面
１６：裏面
２０；２次元表現物が鏡面に再現された道路反射鏡
２１：枠体
２２：支柱
【図１】
2020127654.tif 000003
【図２】
2020127654.tif 000004
【図３】
2020127654.tif 000005
【図４】
2020127654.tif 000006
【図５】
2020127654.tif 000007
【図６】
2020127654.tif 000008
【図７】
2020127654.tif 000009
【図８】
2020127654.tif 000010
【図９】
2020127654.tif 000011
【図１０】
2020127654.tif 000012
【図１１】
2020127654.tif 000013